(57)【要約】      （修正有）【課題】ズボン等を汚したり、排尿の度に交換することなく使用でき、簡単、迅速に排尿できるようにした男性用紙パンツを提供する。【解決手段】パンツ型に形成されている使い捨ておむつ１と、この使い捨ておむつの内側に股を介して前後方向に延ばされて着脱自在に装着される幅広帯状の使い捨て吸水シート（パッド）とで形成され、使い捨ておむつの身幅中央の正面ベルト１Ｄ上部より１４０ｍｍ真下を基点６とし右斜め下約４０°の方向に切断され、使い捨て吸水シート（パッド）が前あき対応位置の角片８０ｍｍが引き出され露出されていることを特徴とする。【選択図】図１
0003196008.tif 000002
【実用新案登録請求の範囲】
【請求項１】
パンツ型に形成されている使い捨ておむつと、この使い捨ておむつの内側に股を介して前後方向に延ばされて着脱自在に装着される幅広帯状の使い捨て吸水シート（パット）とで形成され、上記の使い捨ておむつの身幅中央の正面ベルト上部より１４０ｍ／ｍ真下を基点とし右斜め下約４０°の方向に切断され、使い捨て吸水シート（パッド）が前あき対応位置の角片（８０ｍ／ｍ）が引き出され露出されていることを特徴とする男性用紙パンツ。
【請求項２】
男性用紙おむつであって、使い捨て吸水シート（パッド）が、使い捨ておむつの前側の内側で、使い捨ておむつを正面から見て前あきに隣接する左側位置に、使い捨ておむつに貼り付けるための粘着部を備えて着脱可能に形成されていることを特徴とする請求項１記載の男性用紙おむつ。
【考案の詳細な説明】
【技術分野】
【０００１】  本考案は、男性用紙おむつに関し、更に詳しくは、男性の急な小用に際し、ズボン・下穿等を汚すことなく、素早く排尿できるよう形成された男性用紙おむつに関するものである。
【背景技術】
【０００２】  特許文献１の従来品は、紙おむつの中に装着して使用する男性用の尿とリパッドである。この従来品は、男性器を挿入して納めるための包容部を備え、使用者はこの包容部に排尿した後、パッドを紙おむつ又は下着から取り外して廃棄するものである。【０００３】  従って、これによると、排尿の度に、パッドを新品と取り替えなければならない、という煩わしさがあり、また尿漏れして下着やズボンを汚すおそれがあった。またこの従来品によると、使用個数が多くなるのを避けられず、不経済であった。
【先行技術文献】
【０００４】
【特許文献１】特開２００４−２４７９０号公報
【特許文献２】特開２０１２−２０１８４号公報
【特許文献３】実用新案登録第３１８７７６８号公報
【考案の概要】
【考案が解決しようと課題】
【０００５】  本考案は、このような従来品の問題点に鑑み、提案されたものである。
従って本考案の解決しようとする技術的課題は、ズボン・下穿等を汚したり、排尿の度に交換することなく使用でき、簡単、迅速に男性器を出して排尿できるよう形成した男性用紙おむつを提供することにある。
【課題を解決するための手段】
【０００６】  本考案は、上記の課題を解決するため、次のような技術的手段を採る。
即ち、本考案は、図１の１と２に示されるように、パンツ型に形成されている使い捨ておむつ１の１と、この使い捨ておむつ１の内側に股１の２を介して前後方向に延ばされて着脱自在に装着される幅広帯状の使い捨て吸水シート（パッド）１の２で形成され上記の使い捨ておむつ１の１身幅中央４の正面り１４０ｍ／ｍ真下６を基点とし右斜め下約４０°の方向に切断され使い捨て吸水シート（パッド）１の２が前あき対応位置の角片２ａ（８０ｍ／ｍ）が引き出され露出されていることを特徴とする。
【０００７】  本発明の場合、前あき５の長さは１００ｍ／ｍの出が理想であり、右傾斜の下に形成され１の２の角片２ａの出は冬の下穿を考慮して８０ｍ／ｍが好ましい。
【０００８】  上記前あき５を右斜め下４０°に形成される理由は縦長に設けると切断部が紙おむつの下部で止まる為作業処理に難が多く商事、これに反し右斜め下に切り放せば作業処理も容易であり基点６より下１００ｍ／ｍを確保して下側８に２０ｍ／ｍ位の余裕を取り薄い神部分を除き左９を上に重ね小さいホッチキスで止めるるのみで紙パンツは４日間支障なく使用出来る。
【０００９】  図１の２使い捨キュウスイシート（パッド）５の出８０ｍ／ｍを安定させる目的でパッドの前後６に両面接着テープを使用する。
【考案の効果】
【００１０】  本考案の場合図１の２角片２ａを利用して前あきの口を簡単迅速に拡げ男性器を出して排尿できる。それ故本考案によれば下穿・ズボン等を排尿で汚すことを防止でき、パッドの交換をする必要もなく紙おむつの使用個数を抑えることができる。仮に失禁しても使い捨おむつと吸水シート（パッド）よって尿漏れを確実に防止できる効果がある。
【００１１】  図１の１４の中央より正面から見て１４０ｍ／ｍ直下基点６より右約４０°の方向に切断開口部５を造る。前回公安の開口うぶ５は縦直線であり実用新案登録第３１８７７６８号で示した如く体の活動により男性器がパッドから外れる恐れがある為、体を右に１５ｍ／ｍ移動したが今回の考案は上記の通り基点６の切断方法である。
【００１２】  本考案は前回と異なり５の切断部は４０°右斜め下１ｃ迄２ッに切り放し作業方法も考慮でき先端部分及び薄紙部分を除外し基点６より１００ｍ／ｍ程度下った位置に８の右切断部を上側に左９の材質を下に重ね薄い髪部分を除外し厚い部分をホッチキス１回で止める。
【図面の簡単な説明】
【００１３】
【図１】  男子用紙パンツ正面図
【図２】  吸水シート（パッド）内側図
【図３】  男子用紙パンツ切断面
【図４】  男子用紙パンツ切断部取り付け方法
【図５】  ホッチキス打ち込み図
【図６】  薄い材質（ヒダ）
【図７】  吸水シート（パッド）挿入図
【図８】  吸水シート（パッド）定着図
【符号の説明】
【００１４】１    使い捨ておむつ
１ａ  股
１Ｄ  ベルト部
１Ｃ  （足を入れる）
２    吸水シート（パッド）
２Ｄ  飾り薄紙（ヒダ）
２ａ  角片
２ａ  出８０
６    基点
７    両面接着テープ
８    向かって右切断部
９    向かって左切断部
コ    ホッチギス
【考案を実施するための形態】
【００１５】  次に、以下本考案のテストを実施する。
本年７月より９月現在２ケ月半に亘り、パンツの切断先薄紙部分を除き図６をホッチキス、市販のＨＤ−３で止めた男性用紙パンツを私自身の体に装着し、今日まで平均４日間はまったく異常は見られないで使用できました。
【００１６】  ホッチキス（ＨＤ−３）止は薄紙（飾りヒダ）部分を除き厚手紙部分でＬサイズ（ウエストサイズ７５〜１００ｃｍ以下）はＨＤ−３で１回止で間に合いますが、ＬＬサイズの体格の方が使用した場合を考慮に入れＨＤ−３の二並び止の必要があります。
【図１】
0003196008.tif 000003
【図２】
0003196008.tif 000004
【図３】
0003196008.tif 000005
【図４】
0003196008.tif 000006
【図５】
0003196008.tif 000007
【図６】
0003196008.tif 000008
【図７】
0003196008.tif 000009
【図８】
0003196008.tif 000010
【手続補正書】
【提出日】平成26年11月17日(2014.11.17)
【手続補正１】
【補正対象書類名】実用新案登録請求の範囲
【補正対象項目名】請求項１
【補正方法】変更
【補正の内容】
【請求項１】
パンツ型に形成されている使い捨ておむつと、この使い捨ておむつの内側に股を介して前後方向に延ばされて着脱自在に装着される幅広帯状の使い捨て吸水シート（パッド）とで形成され、上記の使い捨ておむつの身幅中央の正面ベルト上部より１４０ｍｍ真下を基点とし右斜め下約４０°の方向に切断され、使い捨て吸水シート（パッド）が前あき対応位置の角片８０ｍｍが引き出され露出されていることを特徴とする男性用紙パンツ。